(57)【要約】【課題】患部に粘着部材などで仮止めすることなく容易に巻き付けできる包帯を提供する。【解決手段】帯片３の長手方向両端部を包帯本体２の幅方向両側部に接合して包帯本体２の長手方向の一端部との間に、包帯本体２の中間部を折り返して挿入可能な環状部を形成する。環状部に折り返して挿入した包帯本体２の中間部により、患部を挿入可能な患部挿入環を形成できるので、患部挿入環に患部を挿入して包帯本体２を固定することで、患部に粘着部材などで包帯本体２を仮止めすることなく患部の周囲に容易に巻き付けできる。【選択図】図１
2007260238.tif 000002
【特許請求の範囲】
【請求項１】
長手状の包帯本体と、
この包帯本体の長手方向の一端部に設けられた帯片とを具備し、
前記帯片は、長手方向両端部が前記包帯本体の幅方向両側部に接合されて、前記包帯本体の長手方向の一端部との間に、前記包帯本体の一部が折り返されて挿入可能な環状部を形成している
ことを特徴とした包帯。
【請求項２】
帯片は、包帯本体よりも柔軟性が小さい部材により形成されている
ことを特徴とした請求項１記載の包帯。
【請求項３】
帯片に設けられ、この帯片の変形を抑制する形状維持部材を具備した
ことを特徴とした請求項１または２記載の包帯。
【請求項４】
包帯本体は、帯片と隣接する長手方向の一端部側に、柔軟性が小さい低柔軟性部を備えている
ことを特徴とした請求項１ないし３いずれか一記載の包帯。
【発明の詳細な説明】
【技術分野】
【０００１】
本発明は、患部に対して巻き付ける包帯に関する。
【背景技術】
【０００２】
従来、創傷部の治療および保護用として、患部をガーゼ、あるいは脱脂綿などで覆った後、包帯を巻き付ける方法が採られている。このように包帯を患部に巻き付ける際には、医師や看護士などの治療者または補助者がいる場合は別として、本人だけで包帯を巻き付けようとすると、例えば足に包帯を巻く際には、両手が使えるため容易に包帯を巻くことができるものの、特に患部が腕部である場合には、一方の手のみで包帯を巻くことになるため、包帯端部を患部近傍に固定しながら巻き始める必要があり、その方法は比較的面倒である。特に利き腕に包帯を巻く場合には、利き腕でない一方の手のみで包帯を巻くことになるため、さらに面倒である。
【０００３】
このため、１人でも簡単に包帯を巻くための手段として、例えば、包帯の巻き付け始端に、皮膚に粘着可能な粘着テープを貼り付け、この粘着テープによって巻き付け始端を皮膚に固定して巻き付けを可能にするものが提案されている（例えば、特許文献１および特許文献２参照。）。
【特許文献１】実開平３−１２２８２０号公報（第４−６頁、第１図）
【特許文献２】特開２００２−３０１１０１号公報（第２頁、図１）
【発明の開示】
【発明が解決しようとする課題】
【０００４】
しかしながら、上述の包帯では、包帯の巻き付け始端の粘着部材を皮膚に貼り付けて包帯を固定するため、包帯を巻き付けている間は粘着部材が皮膚に接触していることになる。
【０００５】
このため、粘着部材の構成物に対してアレルギを有する人などにとって、有効な包帯であるとはいえないという問題点を有している。
【０００６】
本発明は、このような点に鑑みなされたもので、患部に粘着部材などで仮止めすることなく容易に巻き付けできる包帯を提供することを目的とする。
【課題を解決するための手段】
【０００７】
請求項１記載の包帯は、長手状の包帯本体と、この包帯本体の長手方向の一端部に設けられた帯片とを具備し、前記帯片は、長手方向両端部が前記包帯本体の幅方向両側部に接合されて、前記包帯本体の長手方向の一端部との間に、前記包帯本体の一部が折り返されて挿入可能な環状部を形成しているものである。
【０００８】
請求項２記載の包帯は、請求項１記載の包帯において、帯片は、包帯本体よりも柔軟性が小さい部材により形成されているものである。
【０００９】
請求項３記載の包帯は、請求項１または２記載の包帯において、帯片に設けられ、この帯片の変形を抑制する形状維持部材を具備したものである。
【００１０】
請求項４記載の包帯は、請求項１ないし３いずれか一記載の包帯において、包帯本体は、帯片と隣接する長手方向の一端部側に、柔軟性が小さい低柔軟性部を備えているものである。
【発明の効果】
【００１１】
請求項１記載の発明によれば、帯片の長手方向両端部を包帯本体の幅方向両側部に接合して包帯本体の長手方向の一端部との間に、包帯本体の一部を折り返して挿入可能な環状部を形成することで、この環状部に折り返して挿入された包帯本体の一部により、患部を挿入可能な患部挿入環を形成できるので、この患部挿入環に患部を挿入して包帯本体を固定することで、患部に粘着部材などで包帯本体を仮止めすることなく患部の周囲に容易に巻き付けできる。
【００１２】
請求項２記載の発明によれば、帯片を包帯本体よりも柔軟性が小さい部材により形成することで、包帯本体に形成した患部挿入環を身体に密着させる際の帯片と包帯本体との一部分の窄まりを抑制でき、包帯本体の巻き始めの見栄えが良好になり、かつ、窄まりに伴う段差などもなくなるので、包帯を見栄えよく、かつ、無駄なく巻き上げることができる。
【００１３】
請求項３記載の発明によれば、帯片の変形を抑制する形状維持部材を帯片に設けることで、包帯本体に形成した患部挿入環を身体に密着させる際の帯片と包帯本体の一部分との窄まりを抑制でき、包帯本体の巻き始めの見栄えが良好になり、かつ、窄まりに伴う段差などもなくなるので、包帯を見栄えよく、かつ、無駄なく巻き上げることができる。
【００１４】
請求項４記載の発明によれば、包帯本体の帯片と隣接する長手方向の一端部側に低柔軟性部を設けることで、包帯本体に形成した患部挿入環を身体に密着させる際の帯片と包帯本体の一部分との窄まりを抑制でき、包帯本体の巻き始めの見栄えが良好になり、かつ、窄まりに伴う段差などもなくなるので、帯片と包帯本体の一部分の窄まりを抑制でき、包帯を見栄えよく、かつ、無駄なく巻き上げることができる。
【発明を実施するための最良の形態】
【００１５】
以下、本発明の第１の実施の形態の包帯の構成を図１ないし図７を参照して説明する。
【００１６】
図１に包帯１を示し、この包帯１は、所定の長さの包帯本体２の長手方向の一端部である巻き付け始端に帯片３が接合されている。
【００１７】
包帯本体２は、伸縮性を有する伸縮性糸、あるいは伸縮性を有さない非伸縮性糸などを交差させて織成されて長手状を呈している。また、この包帯本体２は、未使用状態でロール状に巻かれており、使用状態で長手方向の一端部がロール状の包帯本体２から導出される。
【００１８】
帯片３は、細長長手状に形成され、図２に示すように、その長手方向両端部が、包帯本体２の長手方向の一端部の幅方向両側部にそれぞれ接合されて、包帯本体２の長手方向の一端部との間に環状部４を形成している。
【００１９】
環状部４は、図３ないし図６に示すように、包帯本体２の一部である中間部2aが折り返して挿入されることで、図７に示すように、ガーゼあるいは脱脂綿などの被覆部材５により被覆された創傷部を有する患部としての腕部Ａが挿入される患部挿入環６が形成される。
【００２０】
ここで、患部挿入環６の周囲長は、着用者の腕部Ａの周囲に密着することなく創傷部を被覆した被覆部材５をずらさずに通すことが可能となるように、環状部４に通す包帯本体２の中間部2aの長さを適宜調整する。
【００２１】
また、環状部４の大きさは、特に限定されるものではないが、患部挿入環６を形成することを考慮すると、包帯本体２を重ね合わせた状態で挿入可能な大きさに形成されることが好ましい。
【００２２】
次に、上記第１の実施の形態の作用を説明する。
【００２３】
まず、図３に示す使用前の状態から、図４に示すように包帯本体２の一部である中間部2aを折り返しつつ環状部４に挿入し、図５および図６に示すように、患部挿入環６を形成する。
【００２４】
次いで、この形成された患部挿入環６に図７に示す腕部Ａを挿入し、ロール状の包帯本体２の他の部分を引っ張って患部挿入環６の大きさを腕部Ａの太さに応じて変形させた後、包帯本体２を巻き付ける。このとき、包帯本体２の巻き付け方向は、包帯着用者が巻きやすい方向（手前側、あるいは向こう側）に巻くことができる。
【００２５】
すなわち、従来の包帯では、腕部に包帯を巻く際に、一方の手のみで包帯を巻くことになるので、包帯の巻き付け始端を患部の近傍に固定しながら巻き始める必要があるため、比較的面倒であり、特に利き腕に包帯を巻く際には、利き腕でない一方の手のみで包帯を巻くことになるためさらに面倒であったが、上記第１の実施の形態では、帯片３の長手方向両端部を包帯本体２の長手方向の一端部の幅方向両側部に接合して、包帯本体２の長手方向の一端部との間に、包帯本体２の中間部2aを折り返して挿入可能な環状部４を形成することで、この環状部４に折り返して挿入された包帯本体２の中間部2aにより、腕部Ａなどの患部を挿入可能な患部挿入環６を形成できるので、この患部挿入環６に患部を挿入して包帯本体２を固定することで、患部に粘着部材などで包帯本体２を仮止めすることなく着用者が１人で患部の周囲に容易に巻き付けでき、特に利き腕側に巻き付ける場合でも、着用者本人１人で容易に巻き付けできる。
【００２６】
また、例えば一方の腕部などに１人で巻くための従来の包帯のように、皮膚に貼り付けて包帯本体の巻き付け始端を仮止めする包帯止めや絆創膏などの粘着部材などを設ける必要がないので、粘着部材の構成物質による皮膚アレルギのおそれがなく、このようなアレルギを有する患者に対しても適用でき、使い勝手が良好であるとともに、１人でも、特に患部が腕部Ａである場合でも、包帯１の巻き付け始端を一方の手で押さえながら巻き付ける必要がないので、包帯１を簡単に巻き付けできる。
【００２７】
さらに、環状部４へと折り返す包帯本体２の中間部2aの長さを調整することで非伸張状態での患部挿入環６の周囲長を、着用者の腕部Ａの周囲に密着しない程度の周囲長に容易に調整できるので、様々な太さの腕部Ａに対して被覆部材５を容易に患部挿入環６に通すことができる。
【００２８】
そして、帯片３を包帯本体２の長手方向の一端部に接合して環状部４を形成することにより、例えば特許第３１６０５４６号公報に記載されているような、包帯本体の長手方向の一端部に環状体を挿通させてこの包帯本体の一端部を折り返して包帯本体に接合し、かつ、包帯本体の長手方向の他端部に面ファスナを設ける構成のように、包帯本体の長手方向の他端部を環状体内に挿入する必要がないため、ロール状の包帯本体２の全てを解くことなく患部に巻き付けできるので、巻き付けの作業性が良好になる。
【００２９】
次に、第２の実施の形態を図８を参照して説明する。なお、上記第１の実施の形態と同様の構成および作用については、同一符号を付してその説明を省略する。
【００３０】
この第２の実施の形態は、包帯本体２を伸縮性あるいは非伸縮性の糸を交差させて織成した織布とし、帯片３を、包帯本体２を形成する部材よりも柔軟性が小さい部材で形成するものである。
【００３１】
ここで、帯片３は、例えば腰のある織布、あるいは軟質プラスチックなど、他の様々な部材とすることが可能である。なお、織布以外のものを帯片３として用いる場合には、見た目の印象を損なわないように、織布に包んで用いることが好ましい。
【００３２】
このように構成することで、本実施の形態は、上記第１の実施の形態と同様の作用効果を奏することが可能になる。
【００３３】
そして、包帯１の患部挿入環６に患部を挿入して包帯１の巻き付けを開始する際、患部挿入環６の周囲が患部近傍の体部分と密着していると包帯本体２を巻き付けやすいが、包帯本体２の患部挿入環６の周囲を体に密着させる場合、ロール状の包帯本体２を引っ張って患部挿入環６の大きさを患部に応じて小さくする必要があり、そのとき、患部挿入環６の基端部分となる帯片３の取付部近傍に外力が集中し、帯片３が長手方向に、包帯本体２が幅方向の一部が幅方向にそれぞれ窄む、すなわち環状部４が窄む形になりやすく、このように窄んだ形状では、見栄えが良好でなく、また、場合によってはその後の包帯１の巻き付けにも影響を与えるおそれがある。
【００３４】
したがって、本実施の形態では、帯片３の柔軟性を包帯本体２の柔軟性よりも小さくすることで、環状部４が窄まる力に対して帯片３がその形状を維持しようとして抵抗力となるため、包帯本体２に形成した患部挿入環６を身体に密着させるために、患部を患部挿入環６に挿入した状態で包帯本体２を引っ張った際でも、帯片３が包帯本体２の窄まりすなわち環状部４の窄まりを抑制するので、包帯本体２の巻き始めの見栄えが良好になるとともに、環状部４の窄まりに伴う無用な段差が形成されることもなくなるので、包帯１を見栄えよく、かつ、無駄なく綺麗に巻き上げることができる。
【００３５】
次に、第３の実施の形態を図９を参照して説明する。なお、上記各実施の形態と同様の構成および作用については、同一符号を付してその説明を省略する。
【００３６】
この第３の実施の形態は、帯片３に長手状の形状維持部材８が設けられているものである。
【００３７】
この形状維持部材８は、例えば帯片３の長手方向に沿って配設され、ロール状の包帯本体２を引っ張って患部挿入環６の大きさを小さくする際の環状部４の窄まりを抑制するもので、着用者に違和感や不快感を与えない程度の硬さと大きさとを有している。
【００３８】
例えば、形状維持部材８は、軟質プラスチック、硬質プラスチック、あるいは樹脂コーティングされ柔軟性を有する金属などから適宜選択し、縫合、あるいは接着剤による接合などにより帯片３に取り付ける。なお、これらの部材を形状維持部材８として帯片３に取り付けてもよいが、見た目の印象を優しくするため、織布に包んだものを帯片３に取り付けることが好ましい。
【００３９】
そして、包帯本体２に形成した患部挿入環６を身体に密着させるために、患部を患部挿入環６に挿入した状態で包帯本体２を引っ張った際の環状部４の窄まりを形状維持部材８が抑制することで、上記第２の実施の形態と同様に、包帯本体２の巻き始めの見栄えが良好になるとともに、環状部４の窄まりに伴う無用な段差が形成されることもなくなるので、包帯１を見栄えよく、かつ、無駄なく綺麗に巻き上げることができる。
【００４０】
次に、第４の実施の形態を図１０を参照して説明する。なお、上記各実施の形態と同様の構成および作用については、同一符号を付してその説明を省略する。
【００４１】
この第４の実施の形態は、包帯本体２の帯片３近傍に低柔軟性部９を設けたものである。
【００４２】
この低柔軟性部９は、例えば帯片３の長手方向に沿って配設され、ロール状の包帯本体２を引っ張って患部挿入環６の大きさを小さくする際の環状部４の窄まりを抑制するもので、包帯本体２を構成する織布よりも柔軟性が小さい織布に包帯本体２の一部を置き換えたり、柔軟性が小さい織布を重ねて縫合したりするなどの方法により、包帯本体２の中間部2aに形成されている。
【００４３】
そして、このように構成することで、包帯本体２に形成した患部挿入環６を身体に密着させるために、患部を患部挿入環６に挿入した状態で包帯本体２を引っ張った際の環状部４の窄まりを低柔軟性部９が抑制するので、上記各実施の形態と同様に、包帯本体２の巻き始めの見栄えが良好になるとともに、環状部４の窄まりに伴う無用な段差が形成されることもなくなるので、包帯１を見栄えよく、かつ、無駄なく綺麗に巻き上げることができる。
【００４４】
なお、上記各実施の形態において、包帯１の患部は腕部Ａに限定されるものではなく、脚部などにも適用できることは言うまでもない。
【図面の簡単な説明】
【００４５】
【図１】本発明の第１の実施の形態の包帯を示す正面図である。
【図２】同上包帯を示す側面図である。
【図３】同上包帯を示す斜視図である。
【図４】同上包帯の患部挿入環を形成する過程を示す斜視図である。
【図５】同上包帯の患部挿入環を形成する他の過程を示す斜視図である。
【図６】同上包帯の患部挿入環を形成した状態を示す斜視図である。
【図７】同上包帯の患部挿入環に患部を挿入した状態を示す斜視図である。
【図８】本発明の第２の実施の形態の包帯を示す正面図である。
【図９】本発明の第３の実施の形態の包帯を示す正面図である。
【図１０】本発明の第４の実施の形態の包帯を示す正面図である。
【符号の説明】
【００４６】
１    包帯
２    包帯本体
３    帯片
４    環状部
８    形状維持部材
９    低柔軟性部
【図１】
2007260238.tif 000003
【図２】
2007260238.tif 000004
【図３】
2007260238.tif 000005
【図４】
2007260238.tif 000006
【図５】
2007260238.tif 000007
【図６】
2007260238.tif 000008
【図７】
2007260238.tif 000009
【図８】
2007260238.tif 000010
【図９】
2007260238.tif 000011
【図１０】
2007260238.tif 000012